(57)【特許請求の範囲】
【請求項１】
既設の窓枠を残した建物の開口に樹脂または樹脂及び金属の複合体で構成された新設窓枠を取り付けることによって構成した建具において、
前記新設窓枠の室外側に位置する外周部の見付け面に、既設窓枠の見込み面から突出する当接部材と対向するように前記新設窓枠の見付け面に沿って外方に延び、かつ互いに間隔を確保して取り付けた複数の取付片部材と、
前記既設窓枠の当接部材及び前記新設窓枠の取付片部材の間に隙間ができるように見込み方向に沿って締結した取付ネジと、
を備えることを特徴とする建具。
【請求項２】
前記取付片部材は平板状を成すことを特徴とする請求項１に記載の建具。
【請求項３】
前記既設窓枠は、前記当接部材として見込み面の室外側に位置する縁部にそれぞれ網戸レールを有するものであり、室外側から前記取付片部材を介して前記網戸レールに前記取付ネジを締結することにより、前記新設窓枠を保持することを特徴とする請求項１に記載の建具。
【発明の詳細な説明】
【技術分野】
【０００１】
本発明は、建具に関するものである。
【背景技術】
【０００２】
窓を改装する場合には、既設の窓枠を建物の開口に残したまま、新設窓枠を取り付けることが行われている。この種の取付構造は、アルミニウム等の金属によって成形された既設の窓枠に対して、樹脂製の新設窓枠を取り付ける場合に特に多く用いられている。例えば、特許文献１においては、建物の開口を構成する窓台、まぐさ、側板に対してそれぞれの見込み面に新設窓枠をネジによって取り付けるようにしている。新設窓枠において室外に突出した部分には、それぞれの外周部と、建物の外壁面に取り付けた化粧枠との間にシール剤を充填することによって水密性が確保される。こうした取付構造によれば、既設の窓枠を取り外す作業が不要となるため、窓の改装を容易化することが可能となる。
【先行技術文献】
【特許文献】
【０００３】
【特許文献１】実開昭６４−３３８９０号公報
【発明の概要】
【発明が解決しようとする課題】
【０００４】
ところで、新設窓枠として用いられる樹脂製の窓枠には、製造過程で残留した応力等の影響によって変形を来す恐れがある。特に、上枠と縦枠との間や下枠と縦枠との間が４５°の傾斜面を介して溶着された窓枠にあっては、各枠の中央部が互いに近接する方向に湾曲し、全体が鼓状に変形し易い傾向にある。
【０００５】
上述したように、特許文献１に記載のものは、新設窓枠を直接ネジによって窓台等に取り付ける構成ではある。しかしながら、特許文献１に記載のものでは、新設窓枠の室内側に臨む見付け面から見込み方向に沿って取付片部材を突設し、この取付片部材を介して窓台等にネジを締結するものであるため、その取り付け箇所が室内側の縁部に限られることになり、新設窓枠の変形を抑えることは難しい。
【０００６】
本発明は、上記実情に鑑みて、樹脂または樹脂及び金属の複合体で構成された新設窓枠を容易に、かつ精度良く取り付けることのできる建具を提供することを目的とする。
【課題を解決するための手段】
【０００７】
上記目的を達成するため、本発明に係る建具は、既設の窓枠を残した建物の開口に樹脂または樹脂及び金属の複合体で構成された新設窓枠を取り付けることによって構成した建具において、前記新設窓枠の室外側に位置する外周部の見付け面に、既設窓枠の見込み面から突出する当接部材と対向するように前記新設窓枠の見付け面に沿って外方に延び、かつ互いに間隔を確保して取り付けた複数の取付片部材と、前記既設窓枠の当接部材及び前記新設窓枠の取付片部材の間に隙間ができるように見込み方向に沿って締結した取付ネジと、を備えることを特徴とする。
【０００８】
この発明によれば、新設窓枠の外周部に配設した取付片部材と既設窓枠の当接部材との間に見込み方向に沿って取付ネジを締結させるようにしているため、取付ネジの締結位置を調整することで、既設窓枠の変形や取付精度に影響されることなく、新設窓枠の変形を確実に抑えることが可能となる。
【０００９】
また、本発明は、上述した建具において、前記取付片部材は平板状を成すことを特徴とする。
【００１０】
この発明によれば、取付片部材の取り付け及び取付片部材と当接部材との締結作業を同じ室外側から行うことができる。
【００１３】
また、本発明は、上述した建具において、前記既設窓枠は、前記当接部材として見込み面の室外側に位置する縁部にそれぞれ網戸レールを有するものであり、室外側から前記取付片部材を介して前記網戸レールに前記取付ネジを締結することにより、前記新設窓枠を保持することを特徴とする。
【００１４】
この発明によれば、引き違い窓の窓枠等、網戸レールを有した既設の窓枠に対して新設窓枠を取り付けることができる。
【発明の効果】
【００１９】
本発明によれば、新設窓枠の外周部に配設した取付片部材と既設窓枠の当接部材との間に見込み方向に沿って取付ネジを締結させるようにしているため、既設窓枠によって新設窓枠の変形が確実に抑えられることになり、樹脂または樹脂及び金属の複合体で構成された新設窓枠を精度良く取り付けることが可能となる。
【図面の簡単な説明】
【００２０】
【図１】図１は、本発明の実施の形態１である改装用窓枠の取付構造を適用して設置した建具の横断面図である。
【図２】図２は、図１に示した建具の縦断面図である。
【図３】図３は、図１の要部拡大図である。
【図４】図４は、図１に示した改装用窓枠の取り付け構造で適用する補強金具の斜視図である。
【図５】図５は、本発明の実施の形態２である改装用窓枠の取付構造を適用して設置した建具の横断面図である。
【図６】図６は、図５に示した建具の縦断面図である。
【図７】図７は、図５に示した改装用窓枠の取り付け構造で適用する補強金具の斜視図である。
【図８】図８は、本発明の実施の形態３である改装用窓枠の取付構造を適用して設置した建具の一部を示す拡大横断面図である。
【図９】図９は、本発明の実施の形態４である改装用窓枠の取付構造を適用して設置した建具の一部を示す拡大横断面図である。
【図１０】図１０は、本発明の実施の形態５である改装用窓枠の取付構造を適用して設置した建具の一部を示す拡大横断面図である。
【図１１】図１１は、本発明の実施の形態６である改装用窓枠の取付構造を適用して設置した建具の横断面図である。
【図１２】図１２は、図１１に示した建具の縦断面図である。
【発明を実施するための形態】
【００２１】
以下、添付図面を参照しながら本発明に係る改装用窓枠の取付構造の好適な実施の形態について詳細に説明する。
【００２２】
（実施の形態１）
図１及び図２は、本発明の実施の形態１である取付構造により建物の開口Ｈに対して改装用の新設建具１０を設置した状態を示すものである。ここで例示する改装用の新設建具１０は、窓枠１１と左右２枚の障子１２とを備え、窓枠１１に対して２枚の障子１２を左右方向にスライドさせて開閉する、いわゆる「引き違い窓」と称されるものである。本実施の形態１では、さらに、窓枠１１において室外側に位置する部位に網戸１３を１枚備えた新設建具１０を例示している。尚、以下においては後述する既設建具の構成要素と区別するため、新設建具１０の各構成要素に「新設」という接頭語を付してそれぞれを説明する。
【００２３】
新設窓枠１１は、図１及び図２に示すように、新設上枠１１ａ、新設下枠１１ｂ及び左右一対の新設縦枠１１ｃを四周枠組みすることによって横長に構成した合成樹脂製のものである。新設上枠１１ａ、新設下枠１１ｂ及び新設縦枠１１ｃには、個々の外周側に位置する部位が薄肉状に構成してあり、新設窓枠１１の室外側に位置する外周部に支持用見付け面１１ｄが構成してある。支持用見付け面１１ｄは、新設窓枠１１の室外側に臨む見付け面１１ｅよりも突出量の小さい四周枠状の平面である。新設窓枠１１の外形寸法は、後述する既設建具の各枠２１ａ，２１ｂ，２１ｃに設けた網戸レール２１ｄによって囲まれる矩形の開口よりも小さく構成してある。２枚の新設障子１２は、それぞれ新設上框１２ａ、新設下框１２ｂ及び左右一対の新設縦框１２ｃを四周框組みすることによって構成した新設框の内部にガラス板１２ｄを保持したもので、新設窓枠１１の内部に左右方向に沿ってスライド可能に配設してある。これらの新設障子１２は、互いに同一の大きさを有し、かつそれぞれの一方の新設縦框１２ｃを重ね合わせて左右に並設した場合に新設窓枠１１の開口を閉塞することのできる大きさに構成してある。新設網戸１３は、新設障子１２と同様、新設網戸用上框１３ａ、新設網戸用下框１３ｂ及び左右一対の新設網戸用縦框１３ｃを四周框組みすることによって構成した新設網戸用框の内部に網１３ｄを張って構成したもので、新設窓枠１１の内部において新設障子１２よりも室外側に位置する部位に左右方向に沿ってスライド可能に配設してある。
【００２４】
一方、建物の開口Ｈに設置されていた改装前の既設建具は、図には明示していないが、窓枠２１と左右２枚の障子とを備え、窓枠２１に対して２枚の障子を左右方向にスライドさせて開閉する引き違い窓である。新設建具１０と同様、窓枠２１において室外側に位置する部位には、網戸がスライド可能に配設されていた。尚、以下においては上述した新設建具１０の構成要素と区別するため、既設建具の各構成要素に「既設」という接頭語を付してそれぞれを説明する。
【００２５】
既設窓枠２１は、既設上枠２１ａ、既設下枠２１ｂ及び左右一対の既設縦枠２１ｃを四周枠組みすることによって構成したアルミニウム製のものである。既設上枠２１ａは、まぐさＭ１に対して室外側に位置する見付け面と内方側の見込み面との角部に取り付けられ、既設下枠２１ｂは、窓台Ｍ２に対して室外側に位置する見付け面と内方側の見込み面との角部に取り付けられ、既設縦枠２１ｃは、柱Ｍ３に対して室外側に位置する見付け面と内方側の見込み面との角部に取り付けられ、図２に示すように、建物の開口Ｈに対して既設窓枠２１が室外側に突出した構成にある。
【００２６】
既設窓枠２１の既設上枠２１ａ、既設下枠２１ｂ及び一対の既設縦枠２１ｃには、それぞれの室外側に位置する縁部に網戸レール２１ｄが設けてある。網戸レール２１ｄは、各既設枠２１ａ，２１ｂ，２１ｃの見込み面から突出したヒレ状部分である。既設上枠２１ａ及び既設下枠２１ｂに設けた網戸レール２１ｄは、既設網戸の既設上框及び既設下框の溝に係合することによって既設網戸のスライドを案内するためのものである。既設縦枠２１ｃに設けた網戸レール２１ｄは、既設網戸を閉めた際に既設縦框の溝に係合するものである。図中の符号２１ｅは、既設上枠２１ａ及び既設下枠２１ｂの互いに対向する見込み面に設けた一対の障子レールである。これらの障子レール２１ｅは、既設窓枠２１に対して既設障子をスライド可能に案内するためのヒレ状部分であり、網戸レール２１ｄよりも室内側に位置する部位から互いに平行となる状態で既設上枠２１ａ及び既設下枠２１ｂの各見込み面から突出している。
【００２７】
上記のように構成された既設窓枠２１に対して新設窓枠１１を取り付ける場合には、まず、既設窓枠２１から既設障子及び既設網戸を取り外す。その後、図２に示すように、建物の開口Ｈにおいて既設上枠２１ａよりも室内側に位置する部位に上方スペーサｓ１を配設し、この上方スペーサｓ１の下面から既設上枠２１ａの見込み面に渡ってフラットプレート２４を取り付ける。フラットプレート２４は、室外側に位置する縁部に上方当接片部２４ａ及び下方当接片部２４ｂを有した金属製のもので、既設上枠２１ａに設けた網戸レール２１ｄの室内側に臨む見付け面に対し、シール部材ｗ１を介して上方当接片部２４ａを当接させた状態で既設上枠２１ａ及び上方スペーサｓ１にそれぞれネジｂ１によって取り付けられる。
【００２８】
既設窓枠２１の既設下枠２１ｂに対しては、網戸レール２１ｄと室外側に位置する障子レール２１ｅとの間に締結用ブラケット２５を取り付けるとともに、室内側に位置する見込み面から窓台Ｍ２に渡る部位の複数箇所に補強金具３０を取り付ける。
【００２９】
締結用ブラケット２５は、網戸レール２１ｄと障子レール２１ｅとの間の全長に渡る部位に上方に突出した突条を構成する金属部材であり、障子レール２１ｅにネジｂ２を締結することによって既設下枠２１ｂに取り付けられる。
【００３０】
補強金具３０は、図４に示すように、矩形の平板状を成す基板部３１と、基板部３１の一側縁から図４中の下方に向けて直角に屈曲した下垂部３２とを一体に成形した金属部材である。補強金具３０のそれぞれは、図２に示すように、基板部３１が既設下枠２１ｂの見込み面から窓台Ｍ２において室外側に位置する見込み面までの間を覆い、かつ下垂部３２が既設下枠２１ｂの室内側立上り部２１ｆを覆う位置に配置され、基板部３１を介して窓台Ｍ２にネジｂ９によって取り付けられる。さらに、補強金具３０の下垂部３２から既設下枠２１ｂの室内側立上り部２１ｆを介して窓台２０にネジｂ１０を締結することにより、補強金具３０を介して窓台Ｍ２に対する既設下枠２１ｂの取付強度が確保される。
【００３１】
図１に示すように、既設窓枠２１の既設縦枠２１ｃには、室内側に位置する部位にそれぞれ側方スペーサｓ２を配設しておく。側方スペーサｓ２の寸法は、対向する見込み面の相互間隔が新設窓枠１１の全幅とほぼ等しくなるように設定してある。
【００３２】
一方、新設建具１０の新設窓枠１１には、新設下枠１１ｂにシール部材ｗ２を介して下方舌状片部２６を取り付ける。下方舌状片部２６は、新設下枠１１ｂの下面から下方に向けて突設した金属製のヒレ状部材であり、取付ボルトｂ３及びナットｎ１により新設下枠１１ｂの全長に渡って設けられる。下方舌状片部２６の室外側に臨む見付け面は、新設下枠１１ｂの支持用見付け面１１ｄとほぼ同一平面となるように設けてある。図２からも明らかなように、下方舌状片部２６の下縁部は、既設下枠２１ｂに設けられた網戸レール２１ｄの板厚に相当する寸法だけ、室外側に向けて階段状に構成してある。
【００３３】
上記のようにして下方舌状片部２６を取り付けた新設窓枠１１は、新設障子１２及び新設網戸１３を取り外した状態で室内側から既設窓枠２１の内部に建て込まれ、下方舌状片部２６の室内側に臨む見付け面がシール部材ｗ３を介して既設下枠２１ｂの網戸レール２１ｄにおいて室外側に臨む見付け面に当接され、その後、新設上枠１１ａの支持用見付け面１１ｄがフラットプレート２４に設けた下方当接片部２４ｂの室内側に臨む見付け面にシール部材ｗ４を介して当接される。
【００３４】
これらの操作や作業の間、下方舌状片部２６を先に既設窓枠２１の内部に挿入することで、既設上枠２１ａの網戸レール２１ｄ及び既設下枠２１ｂの網戸レール２１ｄに対して新設上枠１１ａや新設下枠１１ｂ、下方舌状片部２６が干渉する事態を招来する恐れがない。また、新設縦枠１１ｃの外径寸法が網戸レール２１ｄの相互間隔よりも小さく設定してあるため、既設縦枠２１ｃの網戸レール２１ｄに対して新設縦枠１１ｃが干渉することもない。
【００３５】
次いで、新設上枠１１ａに対しては、その見込み面からフラットプレート２４にネジｂ４を締結し、フラットプレート２４及び既設上枠２１ａを介してまぐさＭ１との間を固定する。新設下枠１１ｂに対しては、下方舌状片部２６から締結用ブラケット２５に対してネジｂ５を締結し、締結用ブラケット２５及び既設下枠２１ｂを介して窓台Ｍ２との間を固定する。
【００３６】
この状態から新設縦枠１１ｃに対しては、取付片部材２７を取り付ける。取付片部材２７は、図１及び図３に示すように、金属製の平板状部材であり、新設縦枠１１ｃに設けたターンナットｎ２に室外側から見込み方向に沿って取付ボルトｂ６を締結させることより新設縦枠１１ｃの支持用見付け面１１ｄに設けられる。図には明示していないが、取付片部材２７は、新設縦枠１１ｃに対してそれぞれの高さ方向のほぼ中央となる部位、新設縦枠１１ｃの上端部及び新設縦枠１１ｃの下端部の３箇所ずつ、互いに間隔を確保して配設される。それぞれの取付片部材２７は、新設窓枠１１の室外側に臨む見付け面に沿って配設されており、個々の外端部が新設窓枠１１の外周側に臨む見込み面から外方に突出している。取付片部材２７は、その突出量が既設縦枠２１ｃの見込み面から側方スペーサｓ２の見込み面までの距離にほぼ等しく設定してあり、個々の室内側に臨む見付け面が既設縦枠２１ｃに設けた網戸レール２１ｄに対向した状態となる。従って、室外側から取付片部材２７及び網戸レール２１ｄに対して取付ネジｂ７を締結すれば、取付片部材２７及び既設縦枠２１ｃを介して新設縦枠１１ｃを柱Ｍ３に固定することができる。尚、取付片部材２７と既設縦枠２１ｃの網戸レール２１ｄとの間には、適宜スペーサｓ３を介在させるようにしている。最後に、建物の開口Ｈにおいて室内側に位置する四周の見込み面にそれぞれ額縁部材２８を取り付けることによって新設建具１０が完成する。
【００３７】
上述した取付構造によれば、建物の開口Ｈから既設窓枠２１を取り外す必要がないため、新設建具１０の改装を容易化することが可能となる。しかも、網戸レール２１ｄに対して見込み方向に沿って締結する取付ネジｂ７の位置は、適宜調整することが可能である。従って、新設窓枠１１が鼓状に変形する事態を有効に抑えることが可能となる。
【００３８】
また、新設上枠１１ａの支持用見付け面１１ｄとフラットプレート２４の下方当接片部２４ｂとの間、フラットプレート２４の上方当接片部２４ａと既設上枠２１ａの網戸レール２１ｄとの間、新設下枠１１ｂと下方舌状片部２６との間、新設下枠１１ｂの下方舌状片部２６と既設下枠２１ｂの網戸レール２１ｄとの間に関しては、それぞれ全長に渡って配設したシール部材ｗ４，ｗ１，ｗ２，ｗ３により水の浸入が確実に阻止されることになる。また、新設縦枠１１ｃと既設縦枠２１ｃとの間に関しては、取付片部材２７の相互間からシール剤を充填することで水密性を確保することが可能となる。さらに、取付片部材２７相互の隙間や充填したシール剤については、取付ネジｂ７の頭部にスナップ部材２９ａを配設し、このスナップ部材２９ａを介してカバー部材２９ｂを配設すれば覆い隠すことができ、外観品質を損なうこともない。尚、カバー部材については必ずしも新設縦枠１１ｃと既設縦枠２１ｃとの間に限らず、既設上枠２１ａの室外側に臨む見付け面及び既設下枠２１ｂに取り付けた下方舌状片部２６の室外側に臨む見付け面にそれぞれスナップ部材３１ａを配設し、これらのスナップ部材３１ａを介して既設上枠２１ａや下方舌状片部２６にカバー部材３１ｂを設けるようにしても良い。
【００３９】
また、既設下枠２１ｂの複数箇所に補強金具３０を取り付けることにより、既設下枠２１ｂと窓台Ｍ２との間の取付強度を新たに確保するようにしているため、事前に既設下枠２１ｂの取り付け状態を確認せずとも、新設窓枠１１の新設下枠１１ｂに加えられる新設障子１２を確実に支持することが可能となる。
【００４０】
（実施の形態２）
実施の形態１では、矩形の平板状を成す基板部３１と、基板部３１の一側縁から直角に屈曲した下垂部３２とを一体に成形した補強金具３０を適用することにより、既設下枠２１ｂと窓台Ｍ２との間の取付強度を新たに確保するようにしたが、補強金具の形状は、これに限定されない。例えば、図５及び図６に示した実施の形態２では、実施の形態１よりも重量の重い新設障子を適用することを前提としたものであり、実施の形態１とは異なる構成の補強金具１３０を適用している。尚、実施の形態２において実施の形態１と同様の構成に関しては、同一の符号を付してそれぞれの詳細説明を省略する。また、実施の形態２で適用する新設建具については、実施の形態１とは重量が異なるものの、基本的な構成は同様である。従って、実施の形態２の新設建具についても、実施の形態１と同様の構成に同一の符号を付してそれぞれの詳細説明を省略する。
【００４１】
実施の形態２で適用する補強金具１３０は、図６及び図７に示すように、矩形の平板状を成す基板部１３１と、基板部１３１の一側縁から図７中の下方に向けて直角に屈曲した後、基板部１３１と平行となるように屈曲して延在した窓台当接部１３２と、窓台当接部１３２の一側縁中央部から図７中の下方に向けて直角に屈曲した中央下垂部１３３と、中央下垂部１３３の両側となる部位から突出した一対の支持面部１３４とを一体に成形した金属部材である。それぞれの支持面部１３４は、窓台当接部１３２と同一平面上を延在した後、図７中の下方に向けて傾斜し、さらに屈曲して窓台当接部１３２と平行となるように延在しており、個々の突出端部の上面が窓台当接部１３２の上面よりも一段低くなっている。補強金具１３０のそれぞれは、図６に示すように、窓台当接部１３２を介して既設下枠２１ｂの見込み面に当接され、基板部１３１が窓台Ｍ２において室外側に位置する見込み面を覆い、かつ中央下垂部１３３が既設下枠２１ｂの室内側立上り部２１ｆを覆う位置に配置され、基板部１３１と窓台Ｍ２との間にスペーサｓｓを介在させた状態で、基板部１３１を介してネジｂ１７により窓台Ｍ２に取り付けられる。さらに、補強金具１３０の中央下垂部１３３から既設下枠２１ｂの室内側立上り部２１ｆを介して窓台Ｍ２にネジｂ１８を締結することにより、補強金具１３０を介して窓台Ｍ２に対する既設下枠２１ｂの取付強度が確保される。
【００４２】
上述した取付構造においても、建物の開口Ｈから既設窓枠２１を取り外す必要がないため、新設建具１０の改装を容易化することが可能となる。しかも、網戸レール２１ｄに対して見込み方向に沿って締結する取付ネジｂ７の位置は、適宜調整することが可能である。従って、新設窓枠１１が鼓状に変形する事態を有効に抑えることが可能となる。
【００４３】
しかも、既設下枠２１ｂの複数箇所に補強金具１３０を取り付けることにより、既設下枠２１ｂと窓台Ｍ２との間の取付強度を新たに確保するようにしているため、事前に既設下枠２１ｂの取り付け状態を確認せずとも、新設窓枠１１の新設下枠１１ｂに加えられる新設障子１２を確実に支持することが可能となる。
【００４４】
さらに、既設下枠２１ｂに補強金具１３０を取り付けた状態においては、室外側に向けてそれぞれ一対の支持面部１３４が突設した状態となり、既設窓枠２１に対して新設窓枠１１を建て込んだ場合、支持面部１３４によって新設窓枠１１の下面が支持されることになる。従って、既設窓枠２１に対して新設窓枠１１を建て込む作業が容易となるばかりでなく、新設建具１０が比較的重い重量を有するものであってもより確実に支持することができるようになる。
【００４５】
（実施の形態３）
実施の形態１では、取付片部材２７として平板状のものを例示したが、本発明はこれに限定されない。例えば、図８に示す実施の形態３では、屈曲した板状の取付片部材１２７を適用している。すなわち、実施の形態３で適用する取付片部材１２７は、平板状の取付部１２７ａと、平板状を成すネジ締結部１２７ｂとが互いに直角に屈曲した形状を成すものである。この取付片部材１２７は、取付部１２７ａを介して新設縦枠１１ｃの外方に臨む見込み面に取り付けてあり、ネジ締結部１２７ｂが新設縦枠１１ｃの見付け面１１ｅに沿って外方に突出している。新設縦枠１１ｃに対して取付片部材１２７をそれぞれ３箇所に取り付ける点は、実施の形態１と同様である。また、取付片部材１２７を新設縦枠１１ｃに取り付ける場合に取付ボルトｂ６及びターンナットｎ２を適用するのも実施の形態１と同様である。図には明示していないが、実施の形態１と同様に、取付ネジｂ７の頭部にスナップ部材及びカバー部材を配設することにより、取付片部材１２７相互の隙間を覆い隠しても良い。尚、その他実施の形態１と同様の構成に関しては、同一の符号を付してある。
【００４６】
上述した取付構造においても、建物の開口Ｈから既設窓枠２１を取り外す必要がないため、新設建具１０の改装を容易化することが可能となる。しかも、網戸レール２１ｄに対して見込み方向に沿って締結する取付ネジｂ７の位置は、適宜調整することが可能である。従って、新設窓枠１１が鼓状に変形する事態を有効に抑えることが可能となる。
【００４７】
さらに、実施の形態３の取付構造によれば、新設縦枠１１ｃに対する取付片部材１２７の取付位置を見込み方向に沿って調整することにより、既設窓枠２１に対する新設窓枠１１の見込み方向に沿った位置を変更することが可能となる。
【００４８】
（実施の形態４）
実施の形態３では、取付片部材１２７のネジ締結部１２７ｂと網戸レール２１ｄとの間に直接取付ネジｂ７を締結するようにしているが、図９に示す実施の形態４のように、取付片部材２２７のネジ締結部２２７ｂと網戸レール２１ｄとの間に補助取付片部材２２７ｃを介在させるようにしても良い。補助取付片部材２２７ｃは、金属製の平板状部材であり、取付片部材２２７のネジ締結部２２７ｂから網戸レール２１ｄまでの間を接続できる寸法に形成してある。補助取付片部材２２７ｃは、取付ネジｂ７，ｂ８により一方の端部が網戸レール２１ｄに締結され、他方の端部が取付片部材２２７のネジ締結部２２７ｂに締結される。図には明示していないが、実施の形態１と同様に、取付ネジｂ７の頭部にスナップ部材及びカバー部材を配設することにより、取付片部材２２７相互の隙間を覆い隠しても良い。
【００４９】
上述した取付構造においては、取付片部材２２７におけるネジ締結部２２７ｂの新設縦枠１１ｃからの突出量を小さく抑えておくことができるため、予め新設縦枠１１ｃに取付片部材２２７を取り付けた状態で既設窓枠２１に取り込むことが可能となる。従って、新設縦枠１１ｃを取り付ける場合に取付ネジｂ７，ｂ８の締結方向が新設窓枠１１に対して見込み方向に限られることになり、作業性を向上させることが可能である。
【００５０】
また、互いに外形寸法が異なる新設窓枠１１を取り付ける場合にも、補助取付片部材２２７ｃの長さを変更することで対応することができ、取付片部材２２７についてはこれを共用化することが可能となる。
【００５１】
（実施の形態５）
実施の形態４では、互いに外形寸法が異なる新設窓枠１１を取り付ける場合に補助取付片部材２２７ｃの長さを変更することで取付片部材２２７を共用化するようにしているが、図１０に示す実施の形態５のように、予め取付部３２７ａからのネジ締結部３２７ｂの長さを大きく形成した取付片部材３２７を用いるようにしても良い。すなわち、取り付けるべき新設窓枠１１の外形寸法に応じてネジ締結部３２７ｂを切除すれば、取付片部材３２７を唯一用意するだけで異なる外形寸法の新設窓枠１１を取り付けることが可能となる。ネジ締結部３２７ｂを切除する場合には、カッター等の工具を適用しても良いが、予めネジ締結部３２７ｂに複数の溝を形成しておけば、工具を用いることなく不要部分を折り取ることも可能である。図には明示していないが、実施の形態１と同様に、取付ネジｂ７の頭部にスナップ部材及びカバー部材を配設することにより、取付片部材３２７相互の隙間を覆い隠しても良い。
【００５２】
尚、上述した実施の形態１〜実施の形態５では、いずれも既設建具として引き違い窓を例示しているが、必ずしも引き違い窓である必要はない。但し、既設建具が室外側となる部位に網戸レールを有していることは必須である。また、新設建具として引き違い窓を例示しているが、新設建具に制限はない。さらに、新設窓枠１１として合成樹脂製の部材のみからなるものを例示しているが、新設窓枠としては合成樹脂製の部材と金属製の部材とを有した複合体で構成されたものであっても構わない。
【００５３】
（実施の形態６）
図１１及び図１２は、本発明の実施の形態６である取付構造により建物の開口Ｈに対して改装用の新設建具１１０を設置した状態を示すものである。ここで例示する改装用の新設建具１１０は、図１２に示すように、窓枠１１１と上下２枚の障子１１２とを備え、窓枠１１１に対して片方の障子１１２のみを上下方向にスライドさせて開閉する、いわゆる「片上げ下げ窓」と称されるものである。尚、以下においては後述する既設建具の構成要素と区別するため、新設建具１１０の各構成要素に「新設」という接頭語を付してそれぞれを説明する。
【００５４】
新設窓枠１１１は、図１１及び図１２に示すように、新設上枠１１１ａ、新設下枠１１１ｂ及び左右一対の新設縦枠１１１ｃを四周枠組みすることによって縦長に構成した合成樹脂製のものである。新設窓枠１１１の外形寸法は、後述する既設建具の各枠に設けたガラス当接ヒレによって囲まれる矩形の開口よりも小さく構成してある。２枚の新設障子１１２は、それぞれ新設上框１１２ａ、新設下框１１２ｂ及び左右一対の新設縦框１１２ｃを四周框組みすることによって構成した新設框の内部にガラス板１１２ｄを保持したものである。これらの新設障子１１２は、互いに同一の大きさを有し、かつ上方の新設下框１１２ｂと下方の新設上框１１２ａを重ね合わせて上下に並設した場合に新設窓枠１１１の開口を閉塞することのできる大きさに構成してある。室外側に配設される上方の新設障子１１２は、嵌め殺し窓として新設窓枠１１１に固定される。室内側に配設される新設障子１１２は、新設窓枠１１１の内部において上下方向に沿ってスライド可能である。
【００５５】
一方、建物の開口Ｈに設置されていた改装前の既設建具は、窓枠１２１に障子を固定した嵌め殺し窓である。尚、以下においては上述した新設建具１１０の構成要素と区別するため、既設建具の各構成要素に「既設」という接頭語を付してそれぞれを説明する。
【００５６】
既設窓枠１２１は、既設上枠１２１ａ、既設下枠１２１ｂ及び左右一対の既設縦枠１２１ｃを四周枠組みすることによって構成したアルミニウム製のものである。既設上枠１２１ａ、既設下枠１２１ｂ及び一対の既設縦枠１２１ｃには、互いに対向する見込み面にガラス当接ヒレ１２１ｄが設けてある。ガラス当接ヒレ１２１ｄは、室内側に臨む見付け面を有したもので、既設建具においてはシール部材（図示せず）を介して既設ガラス板が当接される部分である。建物の開口Ｈにおいて既設上枠１２１ａ、既設下枠１２１ｂ及び左右一対の既設縦枠１２１ｃよりも室内側に位置する部位には、既設額縁部材１２８が配設されている。
【００５７】
上記のように構成された既設窓枠１２１に対して新設窓枠１１１を取り付ける場合には、まず、既設窓枠１２１から既設ガラス板を取り外す。その後、図１２に示すように、建物の開口Ｈに残した既設額縁部材１２８において既設上枠１２１ａよりも室内側に位置する部位に上方スペーサｓ１１を配設し、この上方スペーサｓ１１の下面から既設上枠１２１ａの見込み面に渡ってフラットプレート１２４を取り付ける。フラットプレート１２４は、室外側に位置する縁部に上方当接片部１２４ａ及び下方当接片部１２４ｂを有した金属製のものである。このフラットプレート１２４は、既設上枠１２１ａに設けたガラス当接ヒレ１２１ｄの室内側に臨む見付け面に対し、シール部材ｗ１１を介して上方当接片部１２４ａを当接させた状態で既設上枠１２１ａ及び上方スペーサｓ１１にそれぞれネジｂ１１によって取り付けられ、既設上枠１２１ａから下方に向けて下方当接片部１２４ｂを突設させた状態にある。建物の開口Ｈに残した既設額縁部材１２８おいて既設下枠１２１ｂよりも室内側に位置する部位には、下方スペーサｓ１２を配設しておく。
【００５８】
一方、新設建具１１０の新設窓枠１１１には、シール部材ｗ１２を介して新設下枠１１１ｂに下方舌状片部１２６を取り付ける。下方舌状片部１２６は、新設下枠１１１ｂの下面から下方に向けて突設した金属製のヒレ状部材であり、取付ボルトｂ１２及びナットｎ１１により新設下枠１１１ｂの全長に渡って設けられる。下方舌状片部１２６の室外側に臨む見付け面は、新設下枠１１１ｂの見付け面とほぼ同一平面となるように設けてある。図１２からも明らかなように、下方舌状片部１２６には、載置片部１２６ａが設けてある。載置片部１２６ａは、下方舌状片部１２６の室外側に臨む見付け面から室外側に向けて突設した部分であり、下方舌状片部１２６の全長に渡って設けてある。
【００５９】
さらに、新設窓枠１１１には、一対の新設縦枠１１１ｃの外方に臨む見込み面にそれぞれ金属製の取付片部材４２７を取り付ける。取付片部材４２７は、平板状の取付部４２７ａと、平板状を成すネジ締結部４２７ｂとが互いに直角に屈曲した形状を成すものである。この取付片部材４２７は、新設縦枠１１１ｃとの間にシール部材ｗ１３を介在させ、取付ボルトｂ１３及びナットｎ１２により取付部４２７ａを介して新設縦枠１１１ｃの全長に渡って取り付けてあり、ネジ締結部４２７ｂが新設縦枠１１１ｃの見付け面に沿って外方に突出している。新設縦枠１１１ｃからのネジ締結部４２７ｂの突出量は、既設縦枠１２１ｃの互いに対向する見込み面の相互間に配置することができるとともに、ネジ締結部４２７ｂの室外側に臨む見付け面が、それぞれ既設縦枠１２１ｃのガラス当接ヒレ１２１ｄに対向することができるように設定してある。
【００６０】
上記のようにして下方舌状片部１２６及び取付片部材４２７を取り付けた新設窓枠１１１は、室内側から既設窓枠１２１の内部に建て込まれ、下方舌状片部１２６の載置片部１２６ａが既設下枠１２１ｂの見込み面に当接されるとともに、下方舌状片部１２６の室外側に臨む見付け面がシール部材ｗ１４を介して既設下枠１２１ｂのガラス当接ヒレ１２１ｄに当接される。その後、新設上枠１１１ａの室外側に臨む見付け面がフラットプレート１２４に設けた下方当接片部１２４ｂの室内側に臨む見付け面にシール部材ｗ１５を介して当接される。既設縦枠１２１ｃよりも室内側に位置する既設額縁部材１２８と新設縦枠１１１ｃとの間には、それぞれ側方スペーサｓ１３を配設しておく。
【００６１】
次いで、新設上枠１１１ａに対しては、その見込み面からフラットプレート１２４にネジｂ１４を締結し、フラットプレート１２４及び既設上枠１２１ａを介してまぐさＭ１との間を固定する。新設下枠１１１ｂに対しては、既設下枠１２１ｂの室外側に臨む見付け面からネジｂ１５を締結することにより、下方舌状片部１２６と下方舌状片部１２６との間を連結する。
【００６２】
新設縦枠１１１ｃに対しては、取付片部材４２７のネジ締結部４２７ｂが既設縦枠１２１ｃのガラス当接ヒレ１２１ｄに対向した状態にあり、互いの間にシール部材ｗ１６を介在させた状態でガラス当接ヒレ１２１ｄの室外側に臨む見付け面から取付ネジｂ１６を締結することにより、ガラス当接ヒレ１２１ｄとの間が固定される。最後に、建物の開口Ｈにおいて室内側に位置する四周の見込み面にそれぞれ額縁部材２２８を取り付けることによって新設建具１１０が完成する。図には明示していないが、実施の形態１と同様に、取付ネジｂ１６の頭部にスナップ部材及びカバー部材を配設すれば、既設窓枠１２１と新設窓枠１１との接合部分を覆い隠すことができる。
【００６３】
上述した取付構造によれば、建物の開口Ｈから既設窓枠１２１を取り外す必要がないため、新設建具１１０の改装を容易化することが可能となる。しかも、ガラス当接ヒレ１２１ｄに対して見込み方向に沿って締結する取付ネジｂ１６の位置は、適宜調整することが可能である。従って、新設窓枠１１１が鼓状に変形する事態を有効に抑えることが可能となる。
【００６４】
また、新設上枠１１１ａとフラットプレート１２４の下方当接片部１２４ｂとの間、フラットプレート１２４の上方当接片部１２４ａと既設上枠１２１ａのガラス当接ヒレ１２１ｄとの間、新設下枠１１１ｂと下方舌状片部１２６との間、下方舌状片部１２６と既設下枠１２１ｂのガラス当接ヒレ１２１ｄとの間、取付片部材４２７の取付部４２７ａと既設縦枠１２１ｃとの間、取付片部材４２７のネジ締結部４２７ｂとガラス当接ヒレ１２１ｄとの間に関しては、それぞれ全長に渡って配設したシール部材ｗ１５，ｗ１１，ｗ１２，ｗ１４，ｗ１３，ｗ１６によって水の浸入が確実に阻止されることになる。
【符号の説明】
【００６５】
１０    新設建具
１１    新設窓枠
２１    既設窓枠
２１ｄ    網戸レール
２７    取付片部材
２９ａ    スナップ部材
２９ｂ    カバー部材
１１０    新設建具
１１１    新設窓枠
１２１    既設窓枠
１２７    取付片部材
１２７ａ    取付部
１２７ｂ    ネジ締結部
２２７    取付片部材
２２７ｂ    ネジ締結部
２２７ｃ    補助取付片部材
３２７    取付片部材
３２７ａ    取付部
３２７ｂ    ネジ締結部
４２７    取付片部材
４２７ａ    取付部
４２７ｂ    ネジ締結部
Ｈ    開口
ｂ７，ｂ８    取付ネジ
ｂ１６    取付ネジ
【図１】
0005917875.tif 000002
【図２】
0005917875.tif 000003
【図３】
0005917875.tif 000004
【図４】
0005917875.tif 000005
【図５】
0005917875.tif 000006
【図６】
0005917875.tif 000007
【図７】
0005917875.tif 000008
【図８】
0005917875.tif 000009
【図９】
0005917875.tif 000010
【図１０】
0005917875.tif 000011
【図１１】
0005917875.tif 000012
【図１２】
0005917875.tif 000013